(57)【要約】【課題】シリカゲル粒を用いた簡単かつ安価で画期的な構成により、再生する音楽等の振動が電気音響変換ユニットの振動板を伝わることに起因した電気音響変換ユニットの特性の劣化を防止する。【解決手段】ボイスコイル６により駆動されるコーン９にシリカゲル粒の振動放散体３ａを点接触状に取り付け、再生する音楽等の電気信号に基づくボイスコイルの振動により、コーン９の中央部から周縁に向かって広がる振動等を振動放散体３ａを通して迅速に空中に放散し、シリカゲル粒の振動放散体３をコーン９に点接触状に取り付ける簡単かつ安価で画期的な構成により、再生する音楽等の振動がコーン９を伝わることに起因したスピーカユニット１Ａの特性の劣化を防止する。【選択図】図１
2010034742.tif 000002
【特許請求の範囲】
【請求項１】
ボイスコイルにより駆動される振動板と、該振動板に点接触状に取り付けられたシリカゲル粒の振動放散体とを備えたことを特徴とする電気音響変換ユニット。
【請求項２】
請求項１に記載の電気音響変換ユニットにおいて、
前記振動板はコーン型であることを特徴とする電気音響変換ユニット。
【請求項３】
請求項１または２に記載の電気音響変換ユニットにおいて、
前記振動放散体は複数個であって、前記振動板の表側又は裏側の一面に取り付けられていることを特徴とする電気音響変換ユニット。
【請求項４】
請求項１または２に記載の電気音響変換ユニットにおいて、
前記振動放散体は複数個であって、前記振動板の表側及び裏側の両面に取り付けられていることを特徴とする電気音響変換ユニット。
【請求項５】
請求項１〜４のいずれかに記載の電気音響変換ユニットにおいて、
前記振動放散体はシリカゲル粒を炭素被覆して形成されていることを特徴とする電気音響変換ユニット。
【請求項６】
請求項１〜５のいずれかに記載の電気音響変換ユニットを筐体に収容して形成されたことを特徴とする電気音響変換装置。
【発明の詳細な説明】
【技術分野】
【０００１】
本発明は、ボイスコイルにより振動板を駆動するダイナミック型のスピーカユニット等の電気音響変換ユニット及び、この電気音響変換ユニットを筐体に収容して形成されるスピーカ装置やヘッドホン装置等の電気音響変換装置に関し、詳しくは、それらの特性を改善する新規な構造に関する。
【背景技術】
【０００２】
従来、いわゆるオーディオシステムやオーディオ・ビジュアルシステム（テレビ受信機等を含む）においては、ディスク等の記録媒体にデジタル記録されたハイスピードでダイナミックレンジが広い音楽等を少しでも良好な特性で電気音響変換して忠実に再生することが望まれる。そのため、システムのスピーカ装置（電気音響変換装置）に特性を改善する種々の工夫がなされる。
【０００３】
例えばコーン型のスピーカユニット（電気音響変換ユニット）を筐体に収容して形成されたスピーカ装置においては、スピーカユニットのボイスコイルボビンの開口を平板で覆い、高周波の振動によるボイスコイルボビンの歪み（変形）を防止して特性を改善することが提案されている（例えば、特許文献１参照）。
【０００４】
また、近年はインターネットのサイトからデジタルデータで配信された音楽等を携帯電話機やパソコンに取り込み、取り込んだ音楽等を、内蔵のスピーカユニットや外付けのスピーカ装置等から音声出力して楽しむことも行われている。そして、このような場合にも、音楽等を少しでも良好な特性で電気音響変換して忠実に再生することが望まれる。
【０００５】
ところで、本願の出願人は、シリカゲルの複数個の粒状体を単層状に配列した音響機器用マットを既に発明しており、この音響機器用マットをスピーカ装置等の筐体の下に敷くことにより、筐体の振動をすばやく放散してスピーカ装置等の音響特性を改善することができる（例えば、特許文献２参照）。
【特許文献１】特開２００８−１０９５８７号公報（要約書、段落［００１１］−［００１３］、［００１７］−［００２０］、図１等）
【特許文献２】特開２００５−２９２７６７号公報（要約書、段落［００２５］−［００２８］、［００４７］、［００６５］、図１等）
【発明の開示】
【発明が解決しようとする課題】
【０００６】
前記特許文献１に記載のように、ボイスコイルボビンの開口を平板で覆って高周波の振動によるボイスコイルボビンの歪み（変形）を防止するようにしても再生出力する音楽等の振動が、電気音響変換ユニットのコーン等の振動板を伝わることに起因した電気音響変換ユニットや電気音響変換装置の本質的な特性低下の改善を図ることはできない。
【０００７】
すなわち、コーンス型のスピーカユニットの例で説明すると、音楽等の再生信号の電気音響変換によりスピーカユニットのボイスコイルが前後動し、このボイスコイルの前後動によりスピーカユニットのコーンが振動する。そして、コーンの振動は音楽等の再生の特性上からは前記音声信号（電気信号）の振幅変化を忠実に再現するものであることが望ましいが、実際には、（１）前記音声信号によって生じたコーンの振動がコーンの中央部から輪状に次第に広がりながら周縁に向かい、一部は固定端で反射して中央部に戻ってノイズとして作用する。（２）前記音声信号によるボイスコイルの前後動により、ボイスコイルを支えている弾性体のダンパーが振動してコーンが振動するが、その際、前記音声信号で変位したダンパーはその弾性の固有特性で振動しながら元の状態に戻る（復元する）。そして、ダンパーの復元の振動は前記音声信号と無関係に生じ、この復元の振動がコーンにノイズとして作用する。（３）コーン自体に、その紙等の慣性の作用による余剰な付帯音のノイズが生じる。そして、上記（１）〜（３）のノイズにより、スピーカユニットやこのスピーカユニットを収容したスピーカ装置の特性が劣化し、とくに周波数の高い高音の解像度や分解能が低下する。
【０００８】
本発明は、シリカゲル粒を用いた簡単かつ安価で画期的な構成により、再生する音楽等の振動が電気音響変換ユニットの振動板を伝わることに起因した電気音響変換ユニット及び電気音響変換装置の特性の劣化を防止することを目的とする。
【課題を解決するための手段】
【０００９】
上記した目的を達成するために、本発明の電気音響変換ユニットは、ボイスコイルにより駆動される振動板と、該振動板に点接触状に取り付けられたシリカゲル粒の振動放散体とを備えたことを特徴としている（請求項１）。
【００１０】
そして、前記振動板はコーン型であることが実用的で好ましい（請求項２）。
【００１１】
また、前記振動放散体は複数個であって、前記振動板の表側又は裏側の一面に取り付けられていることが好ましい（請求項３）。また、前記振動放散体は複数個であって、前記振動板の表側及び裏側の両面に取り付けられていることも好ましい（請求項４）。
【００１２】
つぎに、前記振動放散体はシリカゲル粒を炭素被覆して形成されていることがより好ましい（請求項５）。
【００１３】
つぎに、本発明の本発明の電気音響変換装置は、請求項１〜５のいずれかに記載の電気音響変換ユニットを筐体に収容して形成されたことを特徴としている（請求項６）。
【発明の効果】
【００１４】
請求項１の発明によれば、電気音響変換ユニットの振動板に点接触状に取り付けられたシリカゲル粒の振動放散体は振動伝達速度が速い。そして、再生する音楽等の電気信号のに基づくボイスコイルの振動により振動板が駆動され、振動板の振動が振動板の中央部から周縁に向かって広がると、その途中に点接触状に取り付けられたシリカゲル粒の振動放散体を通して振動が迅速に大気中に放散されて消滅する。また、前記したダンパーの振動等に基づくノイズの振動も振動放散体を通して迅速に空中（大気中）に放散されて消滅する。このとき、シリカゲルが振動板に点接触状に取り付けられているので、その取り付け部分での振動の反射等が生じることもない。
【００１５】
したがって、シリカゲル粒の振動放散体を振動板に点接触状に取り付ける簡単かつ安価で画期的な構成により、再生する音楽等の振動が電気音響変換ユニットの振動板を伝わることに起因した電気音響変換ユニットの特性の劣化を防止し、とくに周波数の高い高音の解像度や分解能を向上することができる。
【００１６】
請求項２の発明によれば、振動板がコーン型であるため、電気音響変換ユニットが実用的なコーン型のスピーカユニット等の場合に、請求項１の発明の効果を奏することができる。
【００１７】
請求項３の発明によれば、振動板の表側又は裏側の一面に複数個の振動放散体が取り付けられているため、これらの振動放散体を通して振動板の振動が一層迅速に大気中に放散されて消滅し、振動板のノイズの振動に起因した電気音響変換ユニットの特性劣化を一層良好に防止することができる。また、請求項４の発明によれば、振動板の表側及び裏側の両面に複数個の振動放散体を取り付けることにより、請求項３の発明と同様の効果を奏することができる。
【００１８】
請求項５の発明によれば、振動放散体のシリカゲル粒を被覆する炭素の振動伝達速度がシリカゲルより極めて速いため、電気音響変換ユニットの振動板の振動を一層迅速に大気中に放散して消滅することができ、電気音響変換ユニットの振動板のノイズの振動に起因した電気音響変換ユニットの特性の劣化を一層良好に防止することができる。
【００１９】
請求項６の発明によれば、シリカゲル粒の振動放散体を電気音響変換ユニットの振動板に点接触状に取り付ける簡単かつ安価で画期的な構成により、振動板のノイズの振動に起因した電気音響変換ユニットの特性の劣化が防止され、とくに周波数の高い高音の解像度や分解能が向上したスピカー装置等の電気音響変換装置を提供することができる。
【発明を実施するための最良の形態】
【００２０】
つぎに、本発明をより詳細に説明するため、実施形態について、図１〜図１７にしたがって詳述する。
【００２１】
（第１の実施形態）
第１の実施形態について、図１〜図６を参照して説明する。
【００２２】
図１、図２、図３は電気音響変換ユニットとしてのスピーカユニット１Ａの正面図、背面図、下面図である。図４はスピーカユニット１Ａのフレームを取り外した状態の斜視図、図５、図６はスピーカユニット１Ａの振動の放散の説明図である。
【００２３】
スピーカユニット１Ａは、フォスター電機株式会社のコーン型の８ｃｍフルレンジユニット（型番ＦＥ８７Ｅ）の本体２に、シリカゲル粒の振動放散体３ａを取り付けて形成されている。
【００２４】
本体２は、一般的なコーン型スピーカユニットと同様に構成され、概略、前面側が開口した断面円形の金属ケース４に永久磁石のマグネット部５が内装され、その中央部に前後方向に移動自在にボイスコイル６が設けられている。
【００２５】
金属ケース４の前面には同心円状にコルゲート加工されたダンパー７が設けられ、このダンパー７は金属ケース４から前方にパラボラ形状に突出した金属フレーム８の基部に支持され、ボイスコイル６の移動によって振動する。
【００２６】
金属フレーム８の内側には、ダンパー７の中央部から前方にラッパ状に突出したコーン型の振動板（以下、コーンという）９が設けられ、コーン９の弾性のある前端縁は金属フレーム８の前部開口縁８ａに係止されている。なお、コーン９の中央部は山形に突起したキャップ部９ａに形成されいる。
【００２７】
金属フレーム８の側面には固定の端子板１０が取り付けられている。端子板１０には正負の端子１１ｐ、１１ｎが取り付けられ、端子１１ｐ、１１ｎはそれぞれ錦糸線１２を介して振動板９の下部の中継用のはとめ１３ｐ、１３ｎに接続されている。はとめ１３ｐ、１３ｎはボイスコイル６から引き出された１対のリード線１４の端部が取り付けられ、ボイスコイル６がはとめ１３ｐ、１３ｎを中継して端子１１ｐ、１１ｎに接続されている。なお、ボイスコイル６から引き出されたリード線１４はコーン９の裏面に接着されている。また、はとめ１３ｐ、１３ｎはコーン９の表側及び裏側が樹脂コーティングされている。
【００２８】
つぎに、振動放散体３ａについて説明する。
【００２９】
振動放散体３ａは、コーン９の振動を迅速に大気中に放散するため、原子量が小さくて硬く、振動に対する伝達速度が速いシリカゲル粒（好ましくは安価なＢ型のシリカゲルの粒状体）からなる。
【００３０】
振動放散体３ａを構成するシリカゲル粒は、コーン９との接触面積を極力小さくしてその部分での振動の反射等を抑えるため、ほぼ球状であることが好ましい。また、その粒径や取り付け個数、取り付け位置等は試聴等によって決定され、本実施形態の場合、シリカゲル粒の粒径は２ｍｍであり、取り付け個数は２個、取り付け位置はコーン９の表側の略はとめ１３ｐ、１３ｎの中間点の位置α１及び、それから１８０度ずれた同軸対称の位置（好ましくはそれより少し上又は下にずらした位置）α２である。
【００３１】
そして、振動放散体３ａは合成樹脂の接着剤１５によって振動板９の表面側の位置α１、α２に点接触状に接着して取り付けられる。このとき、接着剤１５による振動の反射等を防止するため、接着剤１５には硬化して振動の吸収が少ないものが選定される。
【００３２】
そして、コーン９に点接触状に振動放散体３ａを取り付けると、端子１１ｐ、１１ｎの音楽等の音声信号に基づくボイスコイル６の移動によりコーン９の中央部（キャップ部９ａの周囲）に発生した振動は、図５に矢印線に示すようにコーン９の周縁に輪状に広がって位置α１、α２の振動放散体３ａに到達すると、振動放散体３ａを通してその表面から迅速に空中に放散されて消滅し、コーン９の位置α１、α２より外周には伝わらなくなる。
【００３３】
そのため、（１）再生する音楽等の音声信号によって生じたコーン９の振動はコーン９の固定端で反射して中央部に戻ることがない。（２）ダンパー７が弾性の固有特性で振動しながら元の状態に戻る（復元する）際に前記音声信号と無関係に生じる復元の振動が迅速に消散する。（３）コーン９自体の余剰な付帯音のノイズも迅速に消散する。
【００３４】
したがって、シリカゲル粒の振動放散体３ａをスピーカユニット１Ａのコーン９に点接触状に取り付ける簡単かつ安価で画期的な構成により、再生する音楽等の振動がコーン９を伝わることに起因したスピーカユニット１Ａの特性の劣化が防止され、とくに周波数の高い高音の解像度や分解能が向上する。
【００３５】
なお、本実施形態の場合、２個の振動放散体３ａがコーン９の略同軸対称の位置α１、α２に取り付けられているので、コーン９のどの位置の振動も略同じ条件で迅速に放散される利点がある。また、振動放散体３ａがコーン９に点接触状に取り付けられているため、その部分での振動の反射がなく、さらに、接着剤１５によって振動が反射することもないので、振動放散体３ａを取り付けたことによる特性の劣化は生じない。
【００３６】
ところで、振動放散体３ａを取り付ける位置α１、α２は、同軸対称の位置であってもよいが、前記振動による特性の劣化を極力抑えたい場合には、同軸線上から外れるようにずらした位置に設定することが好ましい。そして、コーン９の重量バランス等が問題にならなければ、位置α１、α２はコーン９の表側の同軸線上の任意の２位置あるいは同軸線上にない任意の２位置であってよい。
【００３７】
また、振動放散体３ａは例えばコーン６の表側の位置α１又は位置α２に１個だけ取り付けてもよい。そして、１個の振動放散体３ａを位置α１に取り付けた場合、図６に矢印線に示すようにコーン９の周縁に輪状に広がって位置α１の同軸線上に到達した振動は、位置α１の振動放散体３ａを通してその表面から空中に放散されて消滅し、スピーカユニット１Ａの特性の劣化が防止される。ただし、２個の振動放散体３ａを位置α１、α２に取り付けた場合に比して、振動が振動放散体３ａに到達するまでに若干時間がかかり、スピーカユニット１Ａの特性の劣化防止効果は低くなる。
【００３８】
（第２の実施形態）
第２の実施形態について、図７、図８を参照して説明する。
【００３９】
本実施形態のスピーカユニット１Ｂも、フォスター電機株式会社のコーン型の８ｃｍフルレンジユニット（型番ＦＥ８７Ｅ）の本体２に、シリカゲル粒の振動放散体３ａを取り付けて形成される。そして、図７、図８はスピーカユニット１Ｂの金属フレームを除去した状態の背面図、斜視図である。
【００４０】
本実施形態のスピーカユニット１Ｂが一実施形態のスピーカユニット１Ａと異なる点は、試聴等の結果に基づき、図７に示すように２個の振動放散体３ａをコーン９の裏面側のはとめ１３ｐ、１３ｎの近傍の位置β１、β２に点接触状に取り付けた点である。
【００４１】
そして、振動放散体３ａをコーン９の裏面側に取り付けた場合にも、コーン９の中央部に発生して周縁に輪状に広がる振動等は位置β１、β２の振動放散体３ａに到達すると、振動放散体３ａを通してその表面から迅速に空中に放散されて消滅し、再生する音楽等の振動がコーン９を伝わることに起因したスピーカユニット１Ｂの特性の劣化が防止され、とくに周波数の高い高音の解像度や分解能が向上する。
【００４２】
なお、振動放散体３ａはコーン９の裏面側の位置β１又は位置α２に１個だけ取り付けてもよい。そして、試聴実験等によると、振動放散体３ａをコーン９の裏面側に１個だけ取り付ける場合は、位置β１に取り付けることがより好ましいこが判明した。
【００４３】
（第３の実施形態）
第３の実施形態について、図９を参照して説明する。図９は振動放散体３ｂの断面図である。
【００４４】
本実施形態においては、例えば第１の実施形態のスピーカユニット１Ａの振動放散体３ａを、図９に示すように、シリカゲル粒３１を炭素膜３２でコーティングして炭素被覆した振動放散体３ｂに置換した点である。
【００４５】
この場合、炭素の音速が二酸化ケイ素等の音速より極めて速いことから、振動放散体３ｂ内の振動伝達速度が一層速くなってスピーカユニット１の特性が一層向上する。
【００４６】
なお、振動放散体３ｂの炭素膜３２の厚みは、振動の伝達距離を極力短くする観点からは、極力薄いほうが好ましい。
【００４７】
また、スピーカユニット１Ｂの振動放散体３ａを図９の振動放散体３ｂに置換しても同様の効果を奏するのは勿論である。
【００４８】
（第４の実施形態）
つぎに、請求項６に対応する第４の実施形態について、図１０を参照して説明する。
【００４９】
本実施形態の場合、例えば第１の実施形態のスピーカユニット１Ａを木製又は合成樹脂製の筐体（スピーカボックス）１６に収容して、本発明の電気音響変換装置であるスピーカ装置１７を形成した点である。この場合、スピーカユニット１Ａの特性が振動放散体３ａによって向上するため、スピーカ装置１７は、とくに周波数の高い高音の解像度や分解能が向上する。
【００５０】
なお、第２の実施形態のスピーカユニット１Ｂを木製又は合成樹脂製の筐体（スピーカボックス）１６に収容してスピーカ装置１７を形成した場合にも、同様の効果を奏する。
【００５１】
（実測結果）
つぎに、図１１の測定システムにより、測定対象の種々のスピーカユニット１ｘを筐体１６に収容して形成したスピーカ装置１７の再生音を測定した結果について説明する。
【００５２】
スピーカユニット１ｘは、本体２のコーン９の表面側に２個の振動放散体３ａを取り付けたスピーカユニット１Ａ（以下、ｗｗ−ｎユニットという）、スピーカユニット１Ａの両振動放散体３ａを振動放散体３ｂに置換したもの（以下、ｂｂ−ｎユニットという）、コーン９の裏面側に２個の振動放散体３ａを取り付けたスピーカユニット１Ｂ（以下、ｎ−ｗｗユニットという）、スピーカユニット１Ｂの両振動放散体３ａを振動放散体３ｂに置換したもの（以下、ｎ−ｂｂユニットという）、振動放散体３ａ、３ｂを取り付けていない本体２の構成のもの（以下、ノーマルユニットという）のいずれかである。
【００５３】
図１１の測定システムは、ＭＤプレーヤ１００、パワーアンプ１０１、測定対象のスピーカ装置１７を含むオーディオシステムと、そのスピーカ出力の再生音を、マイクロホン１０２を通して取り込むマイクロコンピュータ構成の波形解析装置１０３とからなる。
【００５４】
そして、ＭＤプレーヤ１００により、録音された１０００Ｈｚ（中音）、５０００Ｈｚ（高音）の図１２（ａ）に示すトーンバースト信号（２５０ｍｓｅｃのオン期間と７５０ｍｓｅｃのオフ期間との４周期くり返しの信号）を再生し、その再生音声信号をパワーアンプ１０１を介して測定対象のスピーカ装置１７から出力し、その再生音を、マイクロホン１０２を通して波形解析装置１０３に取り込み、ＦＦＴ処理によってスピーカ装置１７の出力波形を解析して図１３〜図１７の測定結果を得た。
【００５５】
図１３はスピーカユニット１ｘがｗｗ−ｎユニットの場合の測定波形図、図１４はスピーカユニット１ｘがｂｂ−ｎユニットの場合の測定波形図、図１５はスピーカユニット１ｘがｎ−ｗｗユニットの場合の測定波形図、図１６はスピーカユニット１ｘがｎ−ｂｂユニットの場合の測定波形図、図１７は比較のためのノーマルユニットの場合の測定波形図である。なお、図１３〜図１７の横軸は時間（ｓ）、縦軸はパーセントフルスケールで表したレベル（振幅）である。
【００５６】
そして、これらの測定波形図につき、図１２（ｂ）に示すように、各１周期の信号期間を、最初の大振幅（レベル）の音のあばれのａ波、それに続く真の振幅のｂ波、さらにそれに続く慣性による振動部分（ノイズ部分）のｃ波に区分すると、スピーカユニット１ｘがｗｗ−ｎユニット、ｂｂ−ｎユニット、ｎ−ｗｗユニット、ｎ−ｂｂユニットの場合は、いずれも振動放散体３ａ、３ｂを取り付けたことにより、スピーカユニット１ｘがノーマルユニットの場合に比してｃ波の部分が縮小して短くなり、周波数の高い高音の解像度や分解能が向上することが確かめられた。
【００５７】
したがって、ｗｗ−ｎユニット、ｂｂ−ｎユニット、ｎ−ｗｗユニット、ｎ−ｂｂユのスピーカユニット及び、それらのユニットを用いて形成されたスピーカ装置１７は、コーン９に振動放散体３ａ、３ｂを取り付けることで、周波数の高い高音の解像度や分解能が向上する。
【００５８】
そして、本発明は上記した実施形態に限定されるものではなく、その趣旨を逸脱しない限りにおいて上述したもの以外に種々の変更を行うことが可能である。
【００５９】
例えば、コーン９の表側、裏側に取り付ける振動放散体３ａ、３ｂの大きさ（粒径）や個数、取り付け位置は、試聴等に基づいて設定すればよい。そして、コーン９の表側又は裏側に適当な大きさの１個又は複数個の振動放散体３ａ、３ｂを取り付けることで、上記各実施形態と同様の効果を奏する。その際、複数個の振動放散体は振動放散体３ａ、３ｂが混在した構成であってもよい。また、コーン９の表側及び裏側の両方に適当な大きさの１個又は複数個の振動放散体３ａ、３ｂを取り付けても同様の効果を奏する。その際、コーン９の表側と裏側とで取り付ける振動放散体を振動放散体３ａ、３ｂに異ならせてもよく、両側の複数個の振動放散体が、振動放散体３ａ、３ｂの混在した構成であってもよい。
【００６０】
つぎに、本発明は、コーン型のフルレンジユニットだけでなく、２ウェイや３ウェイのユニット、低音用ウーファ、高音用のツイータ、それらを筐体に収容したスピーカ装置にも適用することができるのは勿論である。また、ホーン型やドーム型の種々のスピーカユニットやそれらのユニットを筐体に収容したスピーカ装置にも同様に適用することができる。さらに、ヘッドホンユニット、それを筐体に収容したオープンエアータイプのヘッドホン装置等にも適用することができる。
【００６１】
そして、本発明の電気音響変換ユニットや電気音響変換装置は、種々のオーディオシステムやオーディオ・ビジュアルシステムのスピーカユニットやヘッドホンユニット、スピーカ装置やヘッドホン装置であってよく、さらには、携帯電話機、トランシーバ等の受話器やスピーカユニット等であってもよい。
【図面の簡単な説明】
【００６２】
【図１】第１の実施形態のスピーカユニットの正面図である。
【図２】図１のスピーカユニットの背面図である。
【図３】図１のスピーカユニットの下面図である。
【図４】図１のスピーカユニットのフレームを取り外した状態の斜視図である。
【図５】図１のスピーカユニットの振動の放散の説明図である。
【図６】図１のスピーカユニットの振動の放散の他の例の説明図である。
【図７】第２の実施形態のスピーカユニットのフレームを取り外した状態の背面図である。
【図８】図７のスピーカユニットの斜視図である。
【図９】第３の実施形態の振動放散体の断面図である。
【図１０】第４の実施形態のスピーカ装置の正面図である。
【図１１】測定システムの説明図である。
【図１２】測定条件の説明図であり、（ａ）は音声出力するトンバースト信号の波形図、（ｂ）は測定結果の評価の説明図である。
【図１３】測定結果の第１の波形図である。
【図１４】測定結果の第２の波形図である。
【図１５】測定結果の第３の波形図である。
【図１６】測定結果の第４の波形図である。
【図１７】測定結果の第５の波形図である。
【符号の説明】
【００６３】
１Ａ、１Ｂ    スピーカユニット
３ａ、３ｂ    振動放散体
６    ボイスコイル
９    コーン
１７    スピーカ装置
【図１】
2010034742.tif 000003
【図２】
2010034742.tif 000004
【図３】
2010034742.tif 000005
【図４】
2010034742.tif 000006
【図５】
2010034742.tif 000007
【図６】
2010034742.tif 000008
【図７】
2010034742.tif 000009
【図８】
2010034742.tif 000010
【図９】
2010034742.tif 000011
【図１０】
2010034742.tif 000012
【図１１】
2010034742.tif 000013
【図１２】
2010034742.tif 000014
【図１３】
2010034742.tif 000015
【図１４】
2010034742.tif 000016
【図１５】
2010034742.tif 000017
【図１６】
2010034742.tif 000018
【図１７】
2010034742.tif 000019
【手続補正書】
【提出日】平成20年7月30日(2008.7.30)
【手続補正１】
【補正対象書類名】明細書
【補正対象項目名】０００７
【補正方法】変更
【補正の内容】
【０００７】
すなわち、コーン型のスピーカユニットの例で説明すると、音楽等の再生信号の電気音響変換によりスピーカユニットのボイスコイルが前後動し、このボイスコイルの前後動によりスピーカユニットのコーンが振動する。そして、コーンの振動は音楽等の再生の特性上からは前記音声信号（電気信号）の振幅変化を忠実に再現するものであることが望ましいが、実際には、（１）前記音声信号によって生じたコーンの振動がコーンの中央部から輪状に次第に広がりながら周縁に向かい、一部は固定端で反射して中央部に戻ってノイズとして作用する。（２）前記音声信号によるボイスコイルの前後動により、ボイスコイルを支えている弾性体のダンパーが振動してコーンが振動するが、その際、前記音声信号で変位したダンパーはその弾性の固有特性で振動しながら元の状態に戻る（復元する）。そして、ダンパーの復元の振動は前記音声信号と無関係に生じ、この復元の振動がコーンにノイズとして作用する。（３）コーン自体に、その紙等の慣性の作用による余剰な付帯音のノイズが生じる。そして、上記（１）〜（３）のノイズにより、スピーカユニットやこのスピーカユニットを収容したスピーカ装置の特性が劣化し、とくに周波数の高い高音の解像度や分解能が低下する。
【手続補正２】
【補正対象書類名】明細書
【補正対象項目名】００４２
【補正方法】変更
【補正の内容】
【００４２】
なお、振動放散体３ａはコーン９の裏面側の位置β１又は位置α２に１個だけ取り付けてもよい。そして、試聴実験等によると、振動放散体３ａをコーン９の裏面側に１個だけ取り付ける場合は、位置β１に取り付けることがより好ましいことが判明した。
【手続補正３】
【補正対象書類名】明細書
【補正対象項目名】００５７
【補正方法】変更
【補正の内容】
【００５７】
したがって、ｗｗ−ｎユニット、ｂｂ−ｎユニット、ｎ−ｗｗユニット、ｎ−ｂｂユニットのスピーカユニット及び、それらのユニットを用いて形成されたスピーカ装置１７は、コーン９に振動放散体３ａ、３ｂを取り付けることで、周波数の高い高音の解像度や分解能が向上する。
【手続補正４】
【補正対象書類名】図面
【補正対象項目名】図１５
【補正方法】変更
【補正の内容】
【図１５】
2010034742.tif 000020
【手続補正５】
【補正対象書類名】図面
【補正対象項目名】図１６
【補正方法】変更
【補正の内容】
【図１６】
2010034742.tif 000021
【手続補正６】
【補正対象書類名】図面
【補正対象項目名】図１７
【補正方法】変更
【補正の内容】
【図１７】
2010034742.tif 000022